(57)【要約】【課題】第１の地域内で第１の移動機を利用していたユーザが、第２の地域へローミングし、第１の移動機から第２の移動機へ加入者識別モジュールを差し換えた場合において、第１の地域におけるサービス提供制御装置が、第２の移動機を利用するユーザに適したサービスを提供できるようにすること。【解決手段】サービス提供制御装置は、第２の移動機から、加入者識別情報及び事業者識別情報を受信する通信部と、データベースにアクセスし、事業者識別情報に対応する第１のネットワーク方式情報を取得し、加入者識別情報に対応する端末識別情報を取得し、端末識別情報に対応する第２のネットワーク方式情報を取得する抽出部と、第１及び第２のネットワーク方式情報の異同に応じて、第１の地域内で第１の移動機に提供していたのと同じサービスを、第２の地域内の前記第２の移動機に提供するか否かを判断する制御部とを有する。【選択図】図１
2011249880.tif 000002
【特許請求の範囲】
【請求項１】
第１の地域内で第１の移動機を利用していたユーザが、第２の地域へローミングし、第１の移動機から第２の移動機へ加入者識別モジュールを差し換えた場合において、前記第２の移動機を利用する前記ユーザにサービスを提供する、前記第１の地域におけるサービス提供制御装置であって、
前記第２の移動機から、加入者識別情報及び事業者識別情報を受信する通信部と、
データベースにアクセスし、前記事業者識別情報に対応する第１のネットワーク方式情報を取得し、前記加入者識別情報に対応する端末識別情報を取得し、該端末識別情報に対応する第２のネットワーク方式情報を取得する抽出部と、
前記第１及び第２のネットワーク方式情報の異同に応じて、前記第１の地域内で前記第１の移動機に提供していたのと同じサービスを、前記第２の地域内の前記第２の移動機に提供するか否かを判断する制御部と
を有するサービス提供制御装置。
【請求項２】
前記データベースが、
事業者識別情報と、事業者が提供しているネットワークの方式を示すネットワーク方式情報との対応関係を記憶するオペレータデータベースと、
加入者識別情報と端末識別情報との対応関係を記憶する顧客管理データベースと、
端末識別情報と、端末が動作可能なネットワークの方式を示すネットワーク方式情報との対応関係を記憶する移動機データベースと
を有する請求項１記載のサービス提供制御装置。
【請求項３】
第１の地域内で第１の移動機を利用していたユーザが、第２の地域へローミングし、第１の移動機から第２の移動機へ加入者識別モジュールを差し換えた場合において、前記第２の移動機を利用する前記ユーザにサービスを提供するサービス提供制御装置と、データベースとを有するシステムであって、前記第１の地域におけるサービス提供制御装置は、
前記第２の移動機から、加入者識別情報及び事業者識別情報を受信する通信部と、
前記データベースにアクセスし、前記事業者識別情報に対応する第１のネットワーク方式情報を取得し、前記加入者識別情報に対応する端末識別情報を取得し、該端末識別情報に対応する第２のネットワーク方式情報を取得する抽出部と、
前記第１及び第２のネットワーク方式情報の異同に応じて、前記第１の地域内で前記第１の移動機に提供していたのと同じサービスを、前記第２の地域内の前記第２の移動機に提供するか否かを判断する制御部と
を有するシステム。
【請求項４】
前記データベースが、
事業者識別情報と、事業者が提供しているネットワークの方式を示すネットワーク方式情報との対応関係を記憶するオペレータデータベースと、
加入者識別情報と端末識別情報との対応関係を記憶する顧客管理データベースと、
端末識別情報と、端末が動作可能なネットワークの方式を示すネットワーク方式情報との対応関係を記憶する移動機データベースと
を有する請求項３記載のシステム。
【請求項５】
第１の地域内で第１の移動機を利用していたユーザが、第２の地域へローミングし、第１の移動機から第２の移動機へ加入者識別モジュールを差し換えた場合において、前記第２の移動機を利用する前記ユーザにサービスを提供するために、前記第１の地域におけるサービス提供制御装置により行われる方法であって、
前記第２の移動機から、加入者識別情報及び事業者識別情報を受信し、
データベースにアクセスし、前記事業者識別情報に対応する第１のネットワーク方式情報を取得し、前記加入者識別情報に対応する端末識別情報を取得し、該端末識別情報に対応する第２のネットワーク方式情報を取得し、
前記第１及び第２のネットワーク方式情報の異同に応じて、前記第１の地域内で前記第１の移動機に提供していたのと同じサービスを、前記第２の地域内の前記第２の移動機に提供するか否かを判断するステップ
を有する方法。
【発明の詳細な説明】
【技術分野】
【０００１】
本発明は、ローミングを行うことが可能な移動通信システムにおいて、サービスを提供するシステム、装置及び方法に関する。
【背景技術】
【０００２】
複数の電話番号を切り換えながら１つの携帯電話を複数人で共有したり、ある携帯電話の情報を別の携帯電話に移したりするために、加入者識別モジュール（SIM：Subscriber  Identifier  Module）カードが、しばしば使用されている。SIMカードは、電話番号を特定するための固有の識別番号が記録されたカードであり、SIMカードを携帯電話に挿入し、ユーザ固有の番号（PIN）を入力することで、動作可能になる。我国では、ある携帯電話から別の携帯電話にSIMカードを差し換えると、別の携帯電話の移動機種別情報（IMEI：International  Mobile  Equipment  Identifier）が、位置登録要求とともにホームロケーションレジスタ（HLR）に通知される。HLRは、ユーザが使用している携帯電話の移動機種別（IMEI）に応じて、サービスを提供する。この種の従来の方法については、例えば特許文献１及び２に記載されている。
【０００３】
最近の携帯電話のような移動機は、国際ローミングを行うことが可能である。さらに、国際ローミングした地域内で、SIMカードを差し換えることも考えられる。この場合において、SIMカードが挿入された移動機を管理することになる海外のオペレータは、我国のHLRに位置登録要求を行うものの、その移動機の移動機種別（IMEI）を通知する義務はない。したがって、国際ローミングしたユーザについて、HLRが把握している移動機種別と、そのユーザが実際に海外で使用している移動機の移動機種別は、必ずしも一致しない。HLRは、把握している最新の移動機種別（国際ローミング直前の移動機種別）に基づいて、そのユーザにサービスを提供しようとする。しかしながら、HLRが想定している移動機種別が、実際のものと異なっていた場合、実際にはサービス対象でないにもかかわらず、サービスが提供されたり、逆に、実際にはサービス対象であるにもかかわらず、サービスを提供できないということが懸念される。例えば、遠隔操作サービスに対応していない移動機に対して、遠隔操作用の制御信号が送信され、移動機が誤動作してしまうことが懸念される。また、SIMカードを差し換える前の移動機にロックをかけるつもりが、SIMカード差し換え後の別の移動機にロックをかけてしまうようなことも懸念される。
【先行技術文献】
【特許文献】
【０００４】
【特許文献１】特開２００８−３０１４３５号公報
【特許文献２】国際公開第２００６／０７５３９９号パンフレット
【発明の概要】
【発明が解決しようとする課題】
【０００５】
本発明の課題は、第１の地域内で第１の移動機を利用していたユーザが、第２の地域へローミングし、第１の移動機から第２の移動機へ加入者識別モジュールを差し換えた場合において、第１の地域におけるサービス提供制御装置が、第２の移動機を利用するユーザに適したサービスを提供できるようにすることである。
【課題を解決するための手段】
【０００６】
本発明の一形態によるサービス提供制御装置は、
第１の地域内で第１の移動機を利用していたユーザが、第２の地域へローミングし、第１の移動機から第２の移動機へ加入者識別モジュールを差し換えた場合において、前記第２の移動機を利用する前記ユーザにサービスを提供する、前記第１の地域におけるサービス提供制御装置であって、
前記第２の移動機から、加入者識別情報及び事業者識別情報を受信する通信部と、
データベースにアクセスし、前記事業者識別情報に対応する第１のネットワーク方式情報を取得し、前記加入者識別情報に対応する端末識別情報を取得し、該端末識別情報に対応する第２のネットワーク方式情報を取得する抽出部と、
前記第１及び第２のネットワーク方式情報の異同に応じて、前記第１の地域内で前記第１の移動機に提供していたのと同じサービスを、前記第２の地域内の前記第２の移動機に提供するか否かを判断する制御部と
を有するサービス提供制御装置である。
【発明の効果】
【０００７】
本発明の一形態によれば、第１の地域内で第１の移動機を利用していたユーザが、第２の地域へローミングし、第１の移動機から第２の移動機へ加入者識別モジュールを差し換えた場合において、第１の地域におけるサービス提供制御装置が、第２の移動機を利用するユーザに適したサービスを提供できる。
【図面の簡単な説明】
【０００８】
【図１】一実施例によるシステムを示す図。
【図２】データベースに記憶される情報例を示す図。
【図３】HLRの機能ブロック図。
【図４】一実施例による動作例を示すシーケンス図。
【図５】図４のステップS9における手順の詳細を示す図。
【図６】様々なネットワーク方式の組み合わせを示す図。
【発明を実施するための形態】
【０００９】
本発明の一形態によるサービス提供制御装置は、
第１の地域内（国内網）で第１の移動機（11）を利用していたユーザが、第２の地域（海外網）へローミングし、第１の移動機（11）から第２の移動機（16）へ加入者識別モジュール（SIM）を差し換えた場合において、前記第２の移動機（16）を利用する前記ユーザにサービスを提供する、前記第１の地域におけるサービス提供制御装置（HLR）であって、
前記第２の移動機から、加入者識別情報（IMSI）及び事業者識別情報（VLR）を受信する通信部（34）と、
データベース（13〜15）にアクセスし、前記事業者識別情報（VLR）に対応する第１のネットワーク方式情報を取得し、前記加入者識別情報（IMSI）に対応する端末識別情報（IMEI）を取得し、該端末識別情報に対応する第２のネットワーク方式情報を取得する抽出部（32）と、
前記第１及び第２のネットワーク方式情報の異同に応じて、前記第１の地域内で前記第１の移動機に提供していたのと同じサービスを、前記第２の地域内の前記第２の移動機に提供するか否かを判断する制御部（33）と
を有するサービス提供制御装置である。
【００１０】
データベースにアクセスし、事業者識別情報に対応する第１のネットワーク方式情報と、端末識別情報に対応する第２のネットワーク方式情報とを比較することで、ローミング先でSIMカードの差し換えが行われたか否かを適切に判断できる。適切な判断結果にしたがって、ローミング前に提供していたのと同じサービスを、ローミングの移動機に提供してよいか否かを適切に判断できる。
【００１１】
前記データベースは、
事業者識別情報と、事業者が提供しているネットワークの方式を示すネットワーク方式情報との対応関係を記憶するオペレータデータベース（14）と、
加入者識別情報と端末識別情報との対応関係を記憶する顧客管理データベース（13）と、
端末識別情報と、端末が動作可能なネットワークの方式を示すネットワーク方式情報との対応関係を記憶する移動機データベース（15）と
を有していてもよい。
【００１２】
これらのデータベースを利用することで、ローミング先でSIMカードを差し換えたか否かを適切に判断することができる。
【００１３】
以下の観点から実施例を説明する。
【００１４】
１．システム
２．HLR
３．動作例
【実施例１】
【００１５】
＜１．システム＞
図１は、一実施例によるシステムを示す。このシステムは、国内網及び海外網の間で国際ローミングを行うことが可能である。国内網の側には、第１の移動機11、ホームロケーションレジスタ（HLR）12、顧客管理データベース13、オペレータデータベース14及び移動機データベース15が示されている。海外網の側には、第２の移動機16及び交換機17が示されている。説明の便宜上、国内網及び海外網が示されているが、このことは本発明に必須ではない。より一般的には、ローミングが可能な第１及び第２の地域において、第２の地域のオペレータが、第１の地域のオペレータに対して、移動機種別情報等を報告する義務が無い如何なるシステムに使用されてもよい。
【００１６】
第１の移動機11は、国内網内で通信可能であり、海外網内でも通信可能であり、国内網及び海外網の間でローミングをすることが可能である。第１の移動機11は、そのような通信機能を有する適切な如何なる装置でもよい。第１の移動機11は、不図示のSIMカードを差し換えることで、別のユーザの装置として使用することも可能である。
【００１７】
ホームロケーションレジスタ（HLR）12は、国内網の移動機11に対する多種多様なサービスを提供するサービス提供制御装置である。例えば、HLR12は、遠隔制御サービスの対象となる移動機に対して、制御信号を送信する。例えば、特定の移動機に対して、その移動機をロック又はロック解除する制御信号を送信してもよい。いずれにせよ、HLR12は、ユーザの識別情報及び／又は移動機種別の情報、さらには後述の判断に基づいて、そのようなサービス提供を制御する。
【００１８】
顧客管理データベース13は、ユーザが現在どの移動機を使用しているかを管理するデータベースである。図２に示されているように、顧客管理データベース13は、加入者識別情報（IMSI：International  Mobile  Subscriber  Identifier）及び端末識別情報（IMEI：International  Mobile  Equipment  Identifier）をユーザ毎に管理する。この対応関係の情報は、例えば位置登録要求の際に移動機からHLRに通知された情報に基づいて更新される。背景技術の欄で言及したように、国内網のオペレータは、IMSI及びIMEIをHLRに通知しなければならないが、海外網のオペレータはIMEIを通知する義務はない。したがって、顧客管理データベース13に示されている情報は、国内網における最新情報を示し、海外網における端末識別情報は反映されていない。
【００１９】
オペレータデータベース14は、国内網及び海外網における様々なオペレータについて、各オペレータが提供しているネットワークの方式が何であるかを示す。図２に示されているように、オペレータデータベース14は、事業者識別子とネットワーク方式との対応関係を示す。図示の例の場合、オペレータAの事業者識別子はXxxであり、第２世代（2G）のネットワークを提供している。オペレータBの事業者識別子はYyyであり、第３世代（3G）のネットワークを提供している。オペレータCの事業者識別子はzzzであり、LTE（ロングタームエボリューション）方式のネットワークを提供している。
【００２０】
移動機データベース15は、個々の移動機が如何なる方式のネットワークで使用可能であるかを示す。移動機の製造元及び機種が分かれば、その移動機にどのような機能が備わっているかを特定できる。したがって、移動機データベース15は、端末識別情報（IMEI）に応じて、その移動機が通信できるネットワーク方式を示す。端末識別情報（IMEI）を示すビットの内、幾つかのビットが移動機の製造元及び機種を示し、残りのビットが製造元における製品番号（シリアル番号）を示す。端末識別情報（IMEI）の内、製造元及び機種を示す部分は、タイプアロケーションコード（TAC：Type  Allocation  Code）と呼ばれる。一例として、IMEIを表す14ビットの内、先頭から8ビットがTACに使用される。図２に示されている移動機データベース15は、TACとネットワーク方式との対応関係を示している。図示の例の場合、Xxxxxxという種類の移動機は、3G方式のネットワークでしか使用できない。Yyyyyyという種類の移動機は、2G方式のネットワークで使用可能である。Zzzzzzという種類の移動機は、LTE方式のネットワークでしか使用できない。
【００２１】
第２の移動機16は、海外網内で通信可能な適切な如何なる装置でもよい。第２の移動機16も、不図示のSIMカードを差し換えることで、別のユーザの装置として使用することも可能である。
【００２２】
交換機17は、海外網で通信サービスを提供しているオペレータAの交換機である。
【００２３】
なお、図１において、データベース13〜15がHLRと別個のネットワーク要素であるように示されているが、このことは本発明に必須ではない。データベース13〜15の内の１つ以上がHLR内に構築されてもよい。データベース13〜15は別個の３つのデータベースとして構築されてもよいし、１つのデータベースの中の一部分として構築されてもよい。いずれにせよ、図２に示されるような対応関係が適切管理され、必要に応じてHLR12が使用できればよい。
【００２４】
＜２．HLR＞
図３は、図２のHLR12を示す。図３には、HLR12に備わる様々な機能要素の内、本実施例に特に関連する部分のみが示されている。図３には、インターフェース（I/F）31、抽出部32、制御部33及び通信部34が示されている。
【００２５】
インターフェース（I/F）31は、国内網における様々なネットワーク要素と通信を行うためのインターフェースである。そのようなネットワーク要素として、図１及び図３にはデータベース13〜15しか示されていないが、実際には、交換機、無線ネットワーク制御装置、基地局等のような多種多様なネットワーク要素が存在する。
【００２６】
抽出部32は、HLRが、何らかのサービスを提供するか否かの判断を行うために必要な情報を適宜データベースから抽出する。
【００２７】
制御部33は、HLR内の各要素の動作を制御することに加えて、何らかのサービスを提供する際の様々な判断を行う。
【００２８】
通信部34は、海外網のネットワーク要素との通信を行うためのインターフェースとして機能する。海外網の移動機に対するサービス提供及び／又は通知は、制御部33による制御の下で、通信部34及び海外網の交換機17を介して行われる。
【００２９】
＜３．動作例＞
以下、本実施例による動作例を説明する。先ず図１のシステムにおいて、国内網に在圏しているユーザ（ユーザＡ）が第１の移動機11を用いて通信していたとする。この第１の移動機11は、説明の便宜上、3G方式のみに対応しているものとする。より具体的には、顧客管理データベース13において、このユーザＡの加入者識別情報IMSIは、xxxxxであり、第１の移動機11の端末識別情報は、Xxxxxxxxxxである。また、移動機データベース15に示されているように、IMEIの一部であるTACがXxxxxxである場合、その移動機が動作可能なネットワーク方式は、3Gである。
【００３０】
このような第１の移動機11を有するユーザＡが、海外網にローミングする。そして、第１の移動機11から第２の移動機16へ、SIMカードが差し換えられたとする。ローミング先のネットワークの事業者は、オペレータＡであり、図２のオペレータデータベース14における事業者識別子は、Xxxである。このオペレータが提供するネットワークは、2G方式である。第２の移動機16のIMEIは、Yyyyyyyyyyであり、TACはYyyyyyである。したがって、第２の移動機16は、2G方式でしか通信できない（図２の移動機データベース15）。ユーザＡが所持する第２の移動機16は、在圏するネットワークに対して位置登録要求を行う。
【００３１】
図４は、本実施例による動作例のシーケンスを示す。ステップS1において、第２の移動機16が、在圏するネットワーク（海外網の交換機17）に対して位置登録要求を行う。この位置登録要求には、SIMカードに記録されている加入者識別情報（IMSI）が含まれている。
【００３２】
ステップS2において、海外網の交換機17は、国内網のサービス提供制御装置（HLR）12に対して、位置登録要求があったことを通知する。この通知は、加入者識別情報（IMSI）と、位置登録を行ったネットワークの事業者識別情報（VLR：Visitor  Location  Resister）とを含むが、移動機16の端末識別情報（IMEI）は含まれていない。海外網のオペレータ（事業者）は、国内網のオペレータとは異なり、端末識別情報（IMEI）をサービス提供制御装置（HLR）に通知する義務がないからである。
【００３３】
ステップS3において、HLRは、事業者識別子（VLR）を用いて、オペレータデータベース14に問い合わせを行う。
【００３４】
ステップS4において、HLRは、事業者識別子（VLR）に対応するオペレータが提供しているネットワークの方式が何であるかについて通知を受ける。目下の例の場合、事業者識別子（VLR）はXxxであるので、これに対応するオペレータＡは2G方式のネットワークを提供していることが分かる。
【００３５】
ステップS5において、HLRは、加入者識別子（IMSI）を用いて、顧客管理データベース13に問い合わせを行う。
【００３６】
ステップS6において、HLRは、加入者識別子（IMSI）に対応するユーザがユーザＡであり、端末識別情報（IMEI）はXxxxxxxxxxであることの通知を受ける。これは、ユーザＡが国内網に在圏していた時の最後の時点、すなわち国際ローミング直前の時点において、ユーザＡがIMEI＝Xxxxxxxxxxの端末を所持していたことを示す。
【００３７】
ステップS7において、HLRは、ステップS6で取得した端末識別情報（IMEI＝Xxxxxxxxxx）を用いて、移動機データベース15に問い合わせを行う。
【００３８】
ステップS8において、HLRは、端末識別情報（IMEI＝Xxxxxxxxxx，TAC＝Xxxxxxを有する移動機は、3G方式のネットワークで動作可能であることの通知を受ける。
【００３９】
ステップS9において、HLRは、ステップS4において取得した「海外オペレータＡのネットワーク方式」と、ステップS8において取得した「ローミング直前のIMEIが示すネットワーク方式」とに基づいて、第２の移動機17にどのようなサービスを提供するかを決定する。
【００４０】
図５は、図４のステップS9における手順の詳細を示す。ステップS51において、HLRは、海外オペレータから位置登録要求があったか否かを判定する。海外オペレータからの位置登録要求が無かった場合、又は位置登録要求があったとしても国内オペレータからのものであった場合、フローはステップS52に進む。ステップS52では、既存の処理と同じ処理が行われる。例えば、国内オペレータからの位置登録要求に応じて、顧客管理データベース13の更新等が行われる。
【００４１】
ステップS53において、HLRは、「海外オペレータＡのネットワーク方式（第1NW方式）」と、ステップS8において取得した「ローミング直前のIMEIが示すネットワーク方式（第2NW方式）」との異同を判定する。第1NW方式と第2NW方式が異なっていた場合、フローはステップS54に進む。
【００４２】
ステップS54にフローが至る場合、第1NW方式と第2NW方式は異なっている。目下の例の場合、第1NW方式は、2Gであるのに対して、第2NW方式は3G なので、異なっている。このような相違により、HLRは、ユーザＡが第１の移動機11のSIMカードを別の移動機に差し換えたことが分かる。HLRは、国内網で第１の移動機11に提供していたのと同じサービスを、海外網の第２の移動機16に提供すべきでない、と判断する。その結果、HLRは、海外網の第２の移動機16に対して、不適切な制御信号を送らずに済む。
【００４３】
ステップS53において、第1NW方式と第2NW方式が同一であった場合、フローはステップS55に進む。この場合、HLRは、ユーザＡが第１の移動機11のSIMカードを別の移動機に差し換えていないことが分かる。HLRは、国内網で第１の移動機11に提供していたのと同じサービスを、海外網の第２の移動機16に提供してもよい、と判断する。その結果、HLRは、海外網の第２の移動機16に対して、適切な制御信号を送信し、従前と同様なサービスを提供し続けることができる。
【００４４】
上記の例では、海外オペレータのネットワーク方式が2Gであり、ローミング直前の移動機のネットワーク方式が3Gであり、これらを対比することでHLRは判断を行っていた。しかしながら、ネットワーク方式はこれらに限定されず、適切な如何なるネットワーク方式が使用されてもよい。
【００４５】
図６は、ネットワーク方式として使用可能な組み合わせの一例を示す。図５のステップS53において、ネットワーク方式が同一であった場合（ともに2G方式であった場合、ともに3G方式であった場合、ともにLTE方式であった場合）、SIMカードは差し換えられていないことが確認できる。その他の場合は、ネットワーク方式が異なり、SIMカードは差し換えられていることが確認できる。ネットワーク方式の具体例はこれらに限定されず、適切な如何なるシステムが使用されてもよい。例えば、W−CDMA方式のシステム、HSDPA／HSUPA方式のW−CDMAシステム、LTE方式のシステム、LTE−Advanced方式のシステム、IMT−Advanced方式のシステム、WiMAX、Wi−Fi方式のシステム等が使用されもよい。
【００４６】
以上本発明は特定の実施例を参照しながら説明されてきたが、それらは単なる例示に過ぎず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。実施例又は項目の区分けは本発明に本質的ではなく、２以上の項目に記載された事項が必要に応じて組み合わせて使用されてよいし、ある項目に記載された事項が、別の実施例又は項目に記載された事項に（矛盾しない限り）適用されてよい。説明の便宜上、本発明の実施例に係る装置は機能的なブロック図を用いて説明されたが、そのような装置はハードウエアで、ソフトウェアで又はそれらの組み合わせで実現されてもよい。本発明は上記実施例に限定されず、本発明の精神から逸脱することなく、様々な変形例、修正例、代替例、置換例等が本発明に包含される。
【符号の説明】
【００４７】
１１  第１の移動機
１２  ホームロケーションレジスタ（HLR）
１３  顧客管理データベース
１４  オペレータデータベース
１５  移動機データベース
１６  第２の移動機
１７  交換機
３１  インターフェース（I/F）
３２  抽出部
３３  制御部
３４  通信部
【図１】
2011249880.tif 000003
【図２】
2011249880.tif 000004
【図３】
2011249880.tif 000005
【図４】
2011249880.tif 000006
【図５】
2011249880.tif 000007
【図６】
2011249880.tif 000008